(57)【要約】【課題】複数個の電池を並列に構成し第一の熱収縮性フィルムで固定および保持した単位包装体を、第二の熱収縮性フィルムで並列あるいは段積みに集合固定および保持した電池包装体において、開封容易な電池包装体を提供する。【解決手段】複数個の電池を並列に構成し第一の熱収縮性フィルムで固定および保持した単位包装体を、第二の熱収縮性フィルムで並列あるいは段積みに集合固定および保持した電池包装体において、前記第二の熱収縮性フィルムの一部が静電シールによって固定されており、前記静電シールによる静電シール部をまたいだ状態で接着した開封ラベルを有することで開封容易な電池包装体を提供する。【選択図】図３
2006082839.tif 000002
【特許請求の範囲】
【請求項１】
複数個の電池を並列に構成し第一の熱収縮性フィルムで固定および保持した単位包装体を、第二の熱収縮性フィルムで並列あるいは段積みに集合固定および保持した電池包装体において、
前記第二の熱収縮性フィルムの一部が静電シールによって固定されており、前記静電シールによる静電シール部をまたいだ状態で接着した開封ラベルを有し、前記開封ラベルが粘着性を有する粘着部と粘着性を有しない縁部を有し、前記縁部が前記静電シール部の内周フィルム側に位置するように前記開封ラベルを配置したことを特徴とする開封容易な電池包装体。
【請求項２】
前記開封ラベルの粘着部がＪＩＳ Ｚ ０２３７に規定されている粘着力で１５００〜２５００ｇｆ／２５ｍｍであることを特徴とする請求項１記載の開封容易な電池包装体。
【請求項３】
前記第二の熱収縮性フィルムがポリプロピレンおよびポリエチレンの多層膜からなり、最外層がポリエチレンであることを特徴とする請求項１または２記載の開封容易な電池包装体。
【発明の詳細な説明】
【技術分野】
【０００１】
本発明は円筒形の電池を複数個収納してなる単位包装体を複数個含む、開封容易な電池包装体に関するものである。
【背景技術】
【０００２】
従来から、複数個の電池を収納する電池包装体には、電池のバージン性を付与するとともに、取り扱いおよび保管の面を考慮して、2〜4本の電池を並べ第一の熱収縮性フィルムで包装した単位包装体を形成し、その単位包装体を複数個並べ、さらに、第二の熱収縮性フィルムで包装したものが用いられている（特許文献１）。
【０００３】
この第二の熱収縮性フィルムは複数個の単位包装体を固定及び保持するため、かなりの重量物を内包することになるため、高い強度が必要とされる。このような特徴を有する第二の熱収縮性フィルムを包装する際には主に以下の二つの手段が代表される。一つは、溶断シールによる包装方法であり、もう一つは静電シールによる包装方法である。溶断シールによる包装を行う場合、包装工程が簡易なため連続性に優れている。しかし、溶断シールによる包装の場合、電池包装体から単位包装体を取り出す際には電池包装体自体をひねって第二の熱収縮性フィルムを破断させて開封するため、電池包装体の強度が高い場合開封が困難であった。このような場合の電池包装体の開封性を向上させるため、単位包装体ごとの端部に対応する第二の熱収縮性フィルムに孔部を設けて単位包装体ごとに破断させて取り出しを容易にしたものが提案されている（特許文献１）。しかしながら、このような対策を施した場合においても、単位包装体ごとに力が加わるように丁寧に開封しなければ、バージン性を付与する単位包装体をも変形および破断させることとなる場合があった。また、開封を容易にするために第二の熱収縮性フィルムの孔部を大きくした場合、電池包装体自体が運搬時などの衝撃で破壊する恐れがあった。
【０００４】
その他、もう一つの第二の熱収縮性フィルムの包装手段として静電シールにより包装がある。静電シールによる包装の場合、開封時に静電シールにより接着された静電シール部を引き剥がして第二の熱収縮性フィルムを切り裂くため、単位包装体に与える影響はなく、単位包装体を破壊することがない。しかしながら、静電シール部分の接着性は電池包装体の強度を保つために包装を確実に行うほどに高くなり、静電シール部での引き剥がしが困難となり、ひいては開封が困難となる場合があった。このような静電シールにおける開封性の問題を解決するために、非静電部を設けることが提案されている（特許文献２）。しかしながら、このような部分を設けた場合シール強度が低下するため、電池のような重量物をシールする場合、不向きである。また、円筒形の電池を包装する場合は、並べられた電池間に生じる溝が、開封をさらに困難にするという問題もあった。
【０００５】
【特許文献１】特開２００２−１０４３３１号公報
【特許文献２】特開平６−１０００２５号公報
【発明の開示】
【発明が解決しようとする課題】
【０００６】
本発明は上記課題のような静電シールを用いた電池包装体の開封時の困難性を解決するためになされたものであり、具体的には複数個の電池を並列に構成し第一の熱収縮性フィルムで固定および保持した単位包装体を、第二の熱収縮性フィルムで並列あるいは段積みに集合固定および保持した電池包装体において、前記第二の熱収縮性フィルムの一部が静電シールによって固定された場合においても開封容易な電池包装体を提供するものである。
【課題を解決するための手段】
【０００７】
本発明は、複数個の電池を並列に構成し第一の熱収縮性フィルムで固定および保持した単位包装体を、第二の熱収縮性フィルムで並列あるいは段積みに集合固定および保持した電池包装体において、前記第二の熱収縮性フィルムの一部が静電シールによって固定されており、前記静電シールによる静電シール部をまたいだ状態で接着した開封ラベルを有し、前記開封ラベルが粘着性を有する粘着部と粘着性を有しない縁部を有し、前記縁部が前記静電シール部の内周フィルム側に位置するように前記開封ラベルを配置したものである。
【０００８】
また、前記開封ラベルの粘着部がＪＩＳ Ｚ ０２３７に規定されている粘着力で１５００〜２５００ｇｆ／２５ｍｍであることが好ましい。さらに、第二の熱収縮性フィルムがポリプロピレンおよびポリエチレンの多層膜からなり、最外層がポリエチレンであることが好ましい。
【発明の効果】
【０００９】
本発明によれば、複数個の電池を並列に構成し第一の熱収縮性フィルムで固定および保持した単位包装体を、第二の熱収縮性フィルムで並列あるいは段積みに集合固定および保持した電池包装体においても、電池包装体の強度を保ったまま、単位包装体に影響を与えることなく第二の熱収縮性フィルムからなる外装フィルムのみを容易に開封することができる。
【発明を実施するための最良の形態】
【００１０】
以下、本発明における第一の熱収縮性フィルムと第二の熱収縮性フィルムからなる電池包装体について述べる。
【００１１】
本発明では、図１に示すように複数個の電池を並列に構成し第一の熱収縮性フィルムで固定および保持した単位包装体１を、図２および図３に示すように第二の熱収縮性フィルム６で並列あるいは段積みに集合固定および保持した電池包装体４において、前記第二の熱収縮性フィルム６が静電シールによって固定されており、第二の熱収縮性フィルムが重なり接着された静電シール部８をまたいだ状態で接着した開封ラベル７を有している。このように構成された電池包装体４の側面図を図４に示した。開封ラベル７は、図５の静電シール部付近の拡大図に示すように、粘着性を有する粘着部９と粘着性を有しない縁部１０を有し、開封ラベルの粘着性を有しない縁部１０が静電シール部の内周フィルム６ａ側に位置するように開封ラベル７を貼り付けてある。
【００１２】
このように、第二の熱収縮性フィルム６の静電シール部８をまたがって開封ラベル７の粘着部９が存在することによって、開封ラベル７を粘着性のない縁部１０から引き剥がした際に、静電シール部８の外面に位置する外周フィルム６ｂの端部に接した際に、開封ラベル７の粘着部９の粘着力により外周フィルム６ｂのみが開封ラベル７とともに持ち上げられ、静電シール部８の内面に位置する内周フィルム６ａから引き剥がされ、第二の熱収縮性フィルム６のみ開封される。このため、第一の熱収縮性フィルム３で固定および保持した単位包装体１には影響を与えずに、容易に第二の熱収縮性フィルム６からなる電池包装体４のみ開封することができる。
【００１３】
本発明における開封ラベルの粘着部はＪＩＳ Ｚ ０２３７に規定されている粘着力で１５００〜２５００ｇｆ／２５ｍｍの粘着強度を有することが好ましい。さらに好ましくは、１８００〜２２００ｇｆ／２５ｍｍである。粘着強度は開封ラベルの粘着部に用いる粘着材の材質によって異なるが、静電シール部を確実に引き剥がす粘着力であればよい。このような粘着強度によって、確実に開封ラベルを貼り付けた部分もしくは、その他の部分を引き剥がすことができ、このまま引き上げていくことによって第二の熱収縮性フィルムを引き裂いて確実に開封することができるためである。
【００１４】
本発明における電池包装体を構成する第二の熱収縮性フィルムの材質にはＰＰ（ポリプロピレン）、ＰＥ（ポリエチレン）の多層膜からなり、最外層がＰＥであるフィルムを用いることが好ましい。静電シールによる包装を行うための熱収縮性フィルムの材質としては、柔軟な材質でかつ、内包物が視認しやすいように透明なＰＰもしくはＰＥを用いることができるが、これらの材質からなる多層膜とすることで、より強度を向上させることができる。ＰＰとＰＥの多層膜とした場合において、ＰＰを外層に用いた場合、透明性を向上させることができるが、開封ラベルの粘着部との粘着性が低下するため、第二の熱収縮性フィルムの最外層には粘着性がＰＰよりも良好であるＰＥとすることが好ましい。
【００１５】
また、単位包装体を構成する第一の熱収縮性フィルムの材質にはＰＥＴ（ポリエチレンテレフタレート）が好ましい。ＰＥＴはＰＰ、ＰＥと比較して強度が高いため、第二の熱収縮性フィルムを開封した際の、単位包装体の変形および破壊の影響をさらに少なくすることができるためである。
【００１６】
本発明における電池包装体は、まず、第一の熱収縮性フィルムにて電池を包装し、熱収縮させて単位包装体を構成した後、第二の熱収縮性フィルムにて単位包装体を包装して、熱収縮させて構成される。したがって、第二の熱収縮性フィルムを加熱する際に、第一の熱収縮性フィルムが収縮および変形するのは好ましくない。したがって、第一の熱収縮性フィルムの融点が、第二の熱収縮性フィルムの融点および軟化点よりも高いことが好ましい。
【００１７】
ここで、図２に示すように第二の熱収縮性フィルム６にて単位包装体１を包装して熱収縮させる際に、単位包装体１の外面に電池包装体４の内包物を表示させるための中入れ台紙５を入れておくことも可能である。このような中入れ台紙入りの電池包装体６では、電池包装体の曲げ強さを向上させることが可能である。この場合の電池包装体を開封する際には、開封時に電池包装体４に変形を加えて開封することが困難となるため、本発明の効果をより発揮することができる。
【００１８】
本発明において、電池包装体に包装される複数の単位包装体同士は、接続されていなくてもよいし、一部分が接続されていてもよい。単位包装体を構成する電池は２本〜４本であることが好ましいが、それらの本数は適宜変更できるものである。
【００１９】
開封ラベルの材質は粘着部を備えることが可能なものであれば特に限定されるものではないが、第二の熱収縮性フィルムよりも接着性が高く、樹脂を主原料とする合成紙であることが好ましい。通常の紙よりも強度が高く、接着性の高い合成紙を用いることで、POSなど商品表示を行うための印刷部を有するとともに、開封ラベルを引き剥がして開封する際に、開封ラベルの破断を防止することが出来、また、フィルムに粘着材が残って、開封が実質的に困難となるという問題を防止することが出来る。
【実施例】
【００２０】
次に、実施例を挙げて本発明をより具体的に説明する。ただし、本発明はそれらの実施例にのみ限定されるものではない。
【００２１】
実施例では、電池包装体の構成例について説明する。まず、包装される電池として単三形アルカリ乾電池（直径１４ｍｍ、高さ５０ｍｍ）を用いた。この電池４本を並列に並べたものを第一の熱収縮性フィルムである、厚み２０μｍのポリエチレンテレフタレート（ＰＥＴ）製フィルム（融点：約２５０℃）にて包装し、加熱によって収縮させ、４本の電池を保持固定させて、図１に示す単位包装体１を作製した。このように作製した単位包装体を長手方向と同一方向に向くように２つ並列に並べ、幅４０ｍｍ、長さ９８ｍｍ、厚さ０．３ｍｍの中入れ台紙を載せたものを、厚み１９μｍのポリエチレン／ポリプロピレン／ポリエチレンの３層で構成された第二の熱収縮性フィルム（融点：１３０℃）にて並列に並んだ電池の縦方向の中央部付近に静電シール部を有するように静電シールにて包装し、加熱によって収縮させ、２つの単位包装体を保持、固定させて、図２に示す電池包装体４を作製した。
【００２２】
開封ラベルには、アート紙を基材として粘着性を有する粘着部と粘着性を有しない縁部が存在するものを用いた。粘着部にはＪＩＳ Ｚ ０２３７に規定されている粘着力が２０００ｇｆ／２５ｍｍであるアクリル系粘着材を用い、粘着性を有しない縁部には粘着材を塗布しなかった。開封ラベルの大きさはＰＯＳのバーコードの欄をかねているため、縦３６ｍｍ、横２７ｍｍとし、粘着部は３０ｍｍ、横２７ｍｍとして、残りを縁部として構成した。
【００２３】
このような構成の開封ラベルを電池包装体の静電シールによる静電シール部をまたいだ状態で、開封ラベルの粘着部を貼りつけた。このとき、開封ラベルの縁部は静電シール部の内周フィルム側に位置するように開封ラベルを配置した（図３）。
【００２４】
このように構成した開封ラベル付きの電池包装体を、開封ラベルの縁部から電池と垂直方向に引張上げたところ、静電シールの静電シール部の外周フィルムのみ開封ラベルの粘着部により持ち上げられ、開封ラベル付近の外周フィルム端部から第二の熱収縮性フィルムで裂け始め、単位包装体に影響を与えることなく容易に、第二の熱収縮性フィルムからなる電池包装体のみを開封することができた。
【図面の簡単な説明】
【００２５】
【図１】単位包装体の正面図である。
【図２】本発明の開封容易な電池包装体の正面図である。
【図３】本発明の開封容易な電池包装体の背面図である。
【図４】本発明の開封容易な電池包装体の側面図である。
【図５】図４の静電シール部付近の拡大図である。
【符号の説明】
【００２６】
１    単位包装体
２    円筒形電池
３    第一の熱収縮性フィルム
４    電池包装体
５    中入れ台紙
６    第二の熱収縮性フィルム
６ａ    内周フィルム
６ｂ    外周フィルム
７    開封ラベル
８    静電シール部
９    粘着部
１０    縁部
【図１】
2006082839.tif 000003
【図２】
2006082839.tif 000004
【図３】
2006082839.tif 000005
【図４】
2006082839.tif 000006
【図５】
2006082839.tif 000007